(57)【特許請求の範囲】
【請求項１】
電力需要を表す電力需要情報を最小使用電力に基づいて第１の電力需要情報と第２の電力需要情報とに分割し、
電力の料金プランをそれぞれ表す複数の料金プラン情報に含まれる第１の料金プラン情報と前記第１の電力需要情報とに基づく第１の電力料金、及び前記複数の料金プラン情報に含まれる第２の料金プラン情報と前記第２の電力需要情報とに基づく第２の電力料金を合計した合計電力料金を、前記第１の料金プラン情報を特定の契約電力で契約した第１の場合、及び前記特定の契約電力から所定量を増加させた電力で契約した第２の場合、及び前記特定の契約電力から前記所定量を減少させた電力で契約した第３の場合のそれぞれについて逐次的に算出することにより、複数の電力料金を算出し、
算出した前記複数の電力料金の中から最安値の電力料金を表示部に表示する、
処理をコンピュータが実行する電力料金算出方法。
【請求項２】
前記複数の電力料金を算出する前に、前記料金プラン情報の契約基準を表す契約基準情報を受け付ける処理を含み、
受け付けた前記契約基準情報を満足しない前記料金プラン情報を前記複数の料金プラン情報から除いた残りの料金プラン情報の組み合わせと前記電力需要情報とに基づいて、前記複数の電力料金を算出する、
ことを特徴とする請求項１に記載の電力料金算出方法。
【請求項３】
前記複数の電力料金を算出する前に、前記電力の使用拠点を表す拠点情報を受け付ける処理を含み、
前記拠点情報が電力料金の割引対象に該当する場合、割引後の前記最安値の電力料金を表示する、
ことを特徴とする請求項１又は２に記載の電力料金算出方法。
【請求項４】
電力の料金プランをそれぞれ表すとともに、電気事業者別排出係数を表す係数情報を含む複数の料金プラン情報の組み合わせと電力需要を表す電力需要情報とに基づいて、複数の電力料金を算出し、
前記電力需要情報と前記係数情報とに基づいて、温室効果ガス排出量を算出し、
算出した前記複数の電力料金の中から最安値の電力料金を表示部に表示する、
処理をコンピュータが実行する電力料金算出方法。
【請求項５】
電力の料金プランをそれぞれ表すとともに、１日を所定分単位で分割し、かつ、１年を１日単位に分割したマトリクス表と前記マトリクス表のそれぞれに格納された料金単価とを含む複数の料金プラン情報の組み合わせと電力需要を表す電力需要情報とに基づいて、複数の電力料金を算出し、
算出した前記複数の電力料金の中から最安値の電力料金を表示部に表示する、
処理をコンピュータが実行する電力料金算出方法。
【請求項６】
電力需要を表す電力需要情報を最小使用電力に基づいて第１の電力需要情報と第２の電力需要情報とに分割し、
電力の料金プランをそれぞれ表す複数の料金プラン情報に含まれる第１の料金プラン情報と前記第１の電力需要情報とに基づく第１の電力料金、及び前記複数の料金プラン情報に含まれる第２の料金プラン情報と前記第２の電力需要情報とに基づく第２の電力料金を合計した合計電力料金を、前記第１の料金プラン情報を特定の契約電力で契約した第１の場合、及び前記特定の契約電力から所定量を増加させた電力で契約した第２の場合、及び前記特定の契約電力から前記所定量を減少させた電力で契約した第３の場合のそれぞれについて逐次的に算出することにより、複数の電力料金を算出し、
算出した前記複数の電力料金の中から最安値の電力料金を表示部に表示する、
処理をコンピュータに実行させるための電力料金算出プログラム。
【請求項７】
電力の料金プランをそれぞれ表すとともに、電気事業者別排出係数を表す係数情報を含む複数の料金プラン情報の組み合わせと電力需要を表す電力需要情報とに基づいて、複数の電力料金を算出し、
前記電力需要情報と前記係数情報とに基づいて、温室効果ガス排出量を算出し、
算出した前記複数の電力料金の中から最安値の電力料金を表示部に表示する、
処理をコンピュータに実行させるための電力料金算出プログラム。
【請求項８】
電力の料金プランをそれぞれ表すとともに、１日を所定分単位で分割し、かつ、１年を１日単位に分割したマトリクス表と前記マトリクス表のそれぞれに格納された料金単価とを含む複数の料金プラン情報の組み合わせと電力需要を表す電力需要情報とに基づいて、複数の電力料金を算出し、
算出した前記複数の電力料金の中から最安値の電力料金を表示部に表示する、
処理をコンピュータに実行させるための電力料金算出プログラム。
【請求項９】
電力需要を表す電力需要情報を最小使用電力に基づいて第１の電力需要情報と第２の電力需要情報とに分割し、電力の料金プランをそれぞれ表す複数の料金プラン情報に含まれる第１の料金プラン情報と前記第１の電力需要情報とに基づく第１の電力料金、及び前記複数の料金プラン情報に含まれる第２の料金プラン情報と前記第２の電力需要情報とに基づく第２の電力料金を合計した合計電力料金を、前記第１の料金プラン情報を特定の契約電力で契約した第１の場合、及び前記特定の契約電力から所定量を増加させた電力で契約した第２の場合、及び前記特定の契約電力から前記所定量を減少させた電力で契約した第３の場合のそれぞれについて逐次的に算出することにより、複数の電力料金を算出する算出部と、
前記算出部が算出した前記複数の電力料金の中から最安値の電力料金を表示部に表示する表示制御部と、
を有する電力料金算出装置。
【請求項１０】
電力の料金プランをそれぞれ表すとともに、電気事業者別排出係数を表す係数情報を含む複数の料金プラン情報の組み合わせと電力需要を表す電力需要情報とに基づいて、複数の電力料金を算出し、前記電力需要情報と前記係数情報とに基づいて、温室効果ガス排出量を算出する算出部と、
前記算出部が算出した前記複数の電力料金の中から最安値の電力料金を表示部に表示する表示制御部と、
を有する電力料金算出装置。
【請求項１１】
電力の料金プランをそれぞれ表すとともに、１日を所定分単位で分割し、かつ、１年を１日単位に分割したマトリクス表と前記マトリクス表のそれぞれに格納された料金単価とを含む複数の料金プラン情報の組み合わせと電力需要を表す電力需要情報とに基づいて、複数の電力料金を算出する算出部と、
前記算出部が算出した前記複数の電力料金の中から最安値の電力料金を表示部に表示する表示制御部と、
を有する電力料金算出装置。
【発明の詳細な説明】
【技術分野】
【０００１】
本件は、電力料金算出方法、電力料金算出プログラム、及び電力料金算出装置に関する。
【背景技術】
【０００２】
電力の需要者に対し、最適な料金プランを提示する電気料金試算システムが知られている（例えば特許文献１参照）。また、電気料金を算出するための計算式も知られている（例えば特許文献２参照）。
【先行技術文献】
【特許文献】
【０００３】
【特許文献１】特開２０１２−０６３８１４号公報
【特許文献２】特開２００２−０９５１６５号公報
【発明の概要】
【発明が解決しようとする課題】
【０００４】
近年、電力の自由化に伴い、料金プランを提示する電力会社は既存の一般電気事業者だけでなくPower Producer and Supplier（ＰＰＳ：特定規模電気事業者）も含まれるようになった。このため、多種多様の料金プランが電力会社から提示されることになり、需要者としては料金プランの選択肢が増える一方、需要者自身の要求に沿った料金プランを選択することは難しくなった。
【０００５】
そこで、１つの側面では、電力の料金プランを組み合わせた場合における電力料金の最安値を表示できる電力料金算出方法、電力料金算出プログラム、及び電力料金算出装置を提供することを目的とする。
【課題を解決するための手段】
【０００６】
本明細書に開示の電力料金算出方法は、電力需要を表す電力需要情報を最小使用電力に基づいて第１の電力需要情報と第２の電力需要情報とに分割し、電力の料金プランをそれぞれ表す複数の料金プラン情報に含まれる第１の料金プラン情報と前記第１の電力需要情報とに基づく第１の電力料金、及び前記複数の料金プラン情報に含まれる第２の料金プラン情報と前記第２の電力需要情報とに基づく第２の電力料金を合計した合計電力料金を、前記第１の料金プラン情報を特定の契約電力で契約した第１の場合、及び前記特定の契約電力から所定量を増加させた電力で契約した第２の場合、及び前記特定の契約電力から前記所定量を減少させた電力で契約した第３の場合のそれぞれについて逐次的に算出することにより、複数の電力料金を算出し、算出した前記複数の電力料金の中から最安値の電力料金を表示部に表示する、処理をコンピュータが実行する電力料金算出方法である。
本明細書に開示の電力料金算出方法は、電力の料金プランをそれぞれ表すとともに、電気事業者別排出係数を表す係数情報を含む複数の料金プラン情報の組み合わせと電力需要を表す電力需要情報とに基づいて、複数の電力料金を算出し、前記電力需要情報と前記係数情報とに基づいて、温室効果ガス排出量を算出し、算出した前記複数の電力料金の中から最安値の電力料金を表示部に表示する、処理をコンピュータが実行する電力料金算出方法である。
本明細書に開示の電力料金算出方法は、電力の料金プランをそれぞれ表すとともに、１日を所定分単位で分割し、かつ、１年を１日単位に分割したマトリクス表と前記マトリクス表のそれぞれに格納された料金単価とを含む複数の料金プラン情報の組み合わせと電力需要を表す電力需要情報とに基づいて、複数の電力料金を算出し、算出した前記複数の電力料金の中から最安値の電力料金を表示部に表示する、処理をコンピュータが実行する電力料金算出方法である。
【０００７】
本明細書に開示の電力料金算出プログラムは、電力需要を表す電力需要情報を最小使用電力に基づいて第１の電力需要情報と第２の電力需要情報とに分割し、電力の料金プランをそれぞれ表す複数の料金プラン情報に含まれる第１の料金プラン情報と前記第１の電力需要情報とに基づく第１の電力料金、及び前記複数の料金プラン情報に含まれる第２の料金プラン情報と前記第２の電力需要情報とに基づく第２の電力料金を合計した合計電力料金を、前記第１の料金プラン情報を特定の契約電力で契約した第１の場合、及び前記特定の契約電力から所定量を増加させた電力で契約した第２の場合、及び前記特定の契約電力から前記所定量を減少させた電力で契約した第３の場合のそれぞれについて逐次的に算出することにより、複数の電力料金を算出し、算出した前記複数の電力料金の中から最安値の電力料金を表示部に表示する、処理をコンピュータに実行させるための電力料金算出プログラムである。
本明細書に開示の電力料金算出プログラムは、電力の料金プランをそれぞれ表すとともに、電気事業者別排出係数を表す係数情報を含む複数の料金プラン情報の組み合わせと電力需要を表す電力需要情報とに基づいて、複数の電力料金を算出し、前記電力需要情報と前記係数情報とに基づいて、温室効果ガス排出量を算出し、算出した前記複数の電力料金の中から最安値の電力料金を表示部に表示する、処理をコンピュータに実行させるための電力料金算出プログラムである。
本明細書に開示の電力料金算出プログラムは、電力の料金プランをそれぞれ表すとともに、１日を所定分単位で分割し、かつ、１年を１日単位に分割したマトリクス表と前記マトリクス表のそれぞれに格納された料金単価とを含む複数の料金プラン情報の組み合わせと電力需要を表す電力需要情報とに基づいて、複数の電力料金を算出し、算出した前記複数の電力料金の中から最安値の電力料金を表示部に表示する、処理をコンピュータに実行させるための電力料金算出プログラムである。
【０００８】
本明細書に開示の電力料金算出装置は、電力需要を表す電力需要情報を最小使用電力に基づいて第１の電力需要情報と第２の電力需要情報とに分割し、電力の料金プランをそれぞれ表す複数の料金プラン情報に含まれる第１の料金プラン情報と前記第１の電力需要情報とに基づく第１の電力料金、及び前記複数の料金プラン情報に含まれる第２の料金プラン情報と前記第２の電力需要情報とに基づく第２の電力料金を合計した合計電力料金を、前記第１の料金プラン情報を特定の契約電力で契約した第１の場合、及び前記特定の契約電力から所定量を増加させた電力で契約した第２の場合、及び前記特定の契約電力から前記所定量を減少させた電力で契約した第３の場合のそれぞれについて逐次的に算出することにより、複数の電力料金を算出する算出部と、前記算出部が算出した前記複数の電力料金の中から最安値の電力料金を表示部に表示する表示制御部と、を有する電力料金算出装置である。
本明細書に開示の電力料金算出装置は、電力の料金プランをそれぞれ表すとともに、電気事業者別排出係数を表す係数情報を含む複数の料金プラン情報の組み合わせと電力需要を表す電力需要情報とに基づいて、複数の電力料金を算出し、前記電力需要情報と前記係数情報とに基づいて、温室効果ガス排出量を算出する算出部と、前記算出部が算出した前記複数の電力料金の中から最安値の電力料金を表示部に表示する表示制御部と、を有する電力料金算出装置である。
本明細書に開示の電力料金算出装置は、電力の料金プランをそれぞれ表すとともに、１日を所定分単位で分割し、かつ、１年を１日単位に分割したマトリクス表と前記マトリクス表のそれぞれに格納された料金単価とを含む複数の料金プラン情報の組み合わせと電力需要を表す電力需要情報とに基づいて、複数の電力料金を算出する算出部と、前記算出部が算出した前記複数の電力料金の中から最安値の電力料金を表示部に表示する表示制御部と、を有する電力料金算出装置である。
【発明の効果】
【０００９】
本明細書に開示の電力料金算出方法、電力料金算出プログラム、及び電力料金算出装置によれば、電力の料金プランを組み合わせた場合における電力料金の最安値を表示することができる。
【図面の簡単な説明】
【００１０】
【図１】図１は電力料金算出システムの一例である。
【図２】図２はサーバ装置のハードウェア構成の一例である。
【図３】図３は第１実施形態に係るサーバ装置のブロック図の一例である。
【図４】図４は電力需要情報記憶部の一例である。
【図５】図５は料金プラン情報のファイルフォーマット一例である。
【図６】図６は季節・時間帯別料金単価マトリクス表の一例である。
【図７】図７はサーバ装置が実行する処理の一例を示すフローチャートである。
【図８】図８は表示部が表示する画面の一例である。
【図９】図９は最安値算出処理の一例を示すフローチャートである。
【図１０】図１０は電力需要情報の分割例を説明するための図である。
【図１１】図１１は最安値の電力料金を算出するアルゴリズムの一例である。
【図１２】図１２は出現パターンの一例を説明するための図である。
【図１３】図１３は最安値算出処理の他の一例を示すフローチャートである。
【図１４】図１４は出現パターンと電力料金の関係を表す一例である。
【図１５】図１５は出現パターンと電力料金の関係を表す他の一例である。
【図１６】図１６は第２実施形態に係るサーバ装置のブロック図の一例である。
【発明を実施するための形態】
【００１１】
以下、本件を実施するための形態について図面を参照して説明する。
【００１２】
（第１実施形態）
図１は電力料金算出システムＳの一例である。電力料金算出システムＳは端末装置１００及び電力料金算出装置としてのサーバ装置２００を備えている。図１では、端末装置１００の一例として入力部１１０、表示部１２０及び制御部（不図示）を含む携帯型（ノートタイプ）のPersonal Computer（ＰＣ）が示されているが、端末装置１００であれば携帯型のＰＣに特に限定されない。例えば据置型（デスクトップタイプ）のＰＣ、スマートフォン、タブレット端末などが端末装置１００であってもよい。端末装置１００は例えば事業所、工場、研究所といったデータセンターＤＣと所在地が異なる法人の需要者の拠点に設置されている。一方、サーバ装置２００は例えばクラウドＣＬ上のデータセンターＤＣ内などに配備されている。
【００１３】
端末装置１００とサーバ装置２００は通信ネットワークＮＷを介して接続されている。通信ネットワークＮＷとしては例えばインターネットがある。したがって、端末装置１００はサーバ装置２００と通信することができる。すなわち、端末装置１００はサーバ装置２００から送信された各種の情報を受け付けたり、サーバ装置２００に各種の情報を送信したりすることができる。
【００１４】
例えばサーバ装置２００に対して端末装置１００が電力料金の料金プランを表す料金プラン情報を送信すると、サーバ装置２００は料金プラン情報を受け付ける。より詳しくは、端末装置１００が送信した料金プラン情報は通信ネットワークＮＷを介してサーバ装置２００が受け付ける。サーバ装置２００は料金プラン情報を受け付けると、端末装置１００に対し電力料金の最安値を送信する。具体的にはサーバ装置２００が料金プラン情報を受け付けた場合、サーバ装置２００は後述する電力需要情報と料金プラン情報とに基づいて、複数の電力料金を算出する。サーバ装置２００は算出した複数の電力料金の中から最安値の電力料金を送信する。これにより、端末装置１００は最安値の電力料金を受信し表示する。より詳しくは、端末装置１００の制御部が最安値の電力料金を受信し、表示部１２０が最安値の電力料金を表示する。尚、サーバ装置２００の動作の詳細については後述する。
【００１５】
次に、図２を参照して、サーバ装置２００のハードウェア構成について説明する。尚、上述した端末装置１００については基本的にサーバ装置２００と同様のハードウェア構成であるため説明を省略する。
【００１６】
図２はサーバ装置２００のハードウェア構成の一例である。図２に示すように、サーバ装置２００は、少なくともCentral Processing Unit（ＣＰＵ）２００Ａ、Random Access Memory（ＲＡＭ）２００Ｂ、Read Only Memory（ＲＯＭ）２００Ｃ及びネットワークＩ／Ｆ（インタフェース）２００Ｄを含んでいる。サーバ装置２００は、必要に応じて、Hard Disk Drive（ＨＤＤ）２００Ｅ、入力Ｉ／Ｆ２００Ｆ、出力Ｉ／Ｆ２００Ｇ、入出力Ｉ／Ｆ２００Ｈ、ドライブ装置２００Ｉの少なくとも１つを含んでいてもよい。ＣＰＵ２００Ａからドライブ装置２００Ｉまでは、内部バス２００Ｊによって互いに接続されている。少なくともＣＰＵ２００ＡとＲＡＭ２００Ｂとが協働することによってコンピュータが実現される。
【００１７】
入力Ｉ／Ｆ２００Ｆには、入力装置７１０が接続される。入力装置７１０としては、例えばキーボードやマウスなどがある。
出力Ｉ／Ｆ２００Ｇには、表示装置７２０が接続される。表示装置７２０としては、例えば液晶ディスプレイがある。
入出力Ｉ／Ｆ２００Ｈには、半導体メモリ７３０が接続される。半導体メモリ７３０としては、例えばUniversal Serial Bus（ＵＳＢ）メモリやフラッシュメモリなどがある。入出力Ｉ／Ｆ２００Ｈは、半導体メモリ７３０に記憶されたプログラムやデータを読み取る。
入力Ｉ／Ｆ２００Ｆ及び入出力Ｉ／Ｆ２００Ｈは、例えばＵＳＢポートを備えている。出力Ｉ／Ｆ２００Ｇは、例えばディスプレイポートを備えている。
【００１８】
ドライブ装置２００Ｉには、可搬型記録媒体７４０が挿入される。可搬型記録媒体７４０としては、例えばCompact Disc（ＣＤ）−ＲＯＭ、Digital Versatile Disc（ＤＶＤ）といったリムーバブルディスクがある。ドライブ装置２００Ｉは、可搬型記録媒体７４０に記録されたプログラムやデータを読み込む。
ネットワークＩ／Ｆ２００Ｄは、例えばＬＡＮポートを備えている。ネットワークＩ／Ｆ２００Ｄは通信ネットワークＮＷと接続される。
【００１９】
上述したＲＡＭ２００Ｂには、ＲＯＭ２００ＣやＨＤＤ２００Ｅに記憶されたプログラムがＣＰＵ２００Ａによって格納される。ＲＡＭ２００Ｂには、可搬型記録媒体７４０に記録されたプログラムがＣＰＵ２００Ａによって格納される。格納されたプログラムをＣＰＵ２００Ａが実行することにより、後述する各種の機能が実現され、また、後述する各種の処理が実行される。尚、プログラムは後述するフローチャートに応じたものとすればよい。
【００２０】
次に、図３から図６までを参照して、サーバ装置２００の機能について説明する。
【００２１】
図３は第１実施形態に係るサーバ装置２００のブロック図の一例である。図４は電力需要情報記憶部２０１の一例である。図５は料金プラン情報のファイルフォーマット一例である。図６は季節・時間帯別料金単価マトリクス表Ｔ４の一例である。図３に示すように、サーバ装置２００は、電力需要情報記憶部２０１、契約基準情報記憶部２０２、受付部２０３、算出部２０４、及び表示制御部２０５を含んでいる。
【００２２】
電力需要情報記憶部２０１は電力需要情報を記憶する。電力需要情報は過去の電力需要を表す情報、具体的には電力需要の実績を表す情報である。電力需要情報記憶部２０１には上述した各拠点が有する電力需要情報が事前に（例えば電力料金が算出する前に）格納される。電力需要情報記憶部２０１は格納された電力需要情報を拠点毎に分けて記憶してもよい。尚、電力需要情報記憶部２０１は各拠点から送信された電力需要情報を記憶してもよいし、電力需要情報記憶部２０１が各拠点から取得した電力需要情報を記憶してもよい。
【００２３】
ここで、図４を参照して電力需要情報記憶部２０１をさらに詳しく説明する。図４に示すように、電力需要情報記憶部２０１は契約電力テーブルＴ１、契約電力超過テーブルＴ２、及び複数の使用電力テーブルＴ３を電力需要情報として含んでいる。したがって、契約電力テーブルＴ１、契約電力超過テーブルＴ２、及び使用電力テーブルＴ３はいずれも過去の電力需要の実績を表している。
【００２４】
契約電力テーブルＴ１は契約電力と力率を構成要素として含んでいる。契約電力は契約上使用可能な最大電力を表している。力率は電力会社から提供された電力のうち有効に使用された電力の割合を表している。したがって、図４に示す契約電力テーブルＴ１は、契約対象年度の前年度では契約電力３３００ｋＷが需要者と電力会社との間で契約され、力率が９８％であったことを表している。
【００２５】
契約電力超過テーブルＴ２は最大電力需要を構成要素として含んでいる。最大電力需要は契約電力を超過した際の電力需要の最大値を表している。上述したように、契約電力３３００ｋＷが契約されている場合、図４に示すように、最大電力需要には３５００ｋＷが記録されている。したがって、図４に示す契約電力超過テーブルＴ２は２００ｋＷ超過したことを表している。
【００２６】
複数の使用電力テーブルＴ３はいずれも使用年月日、使用時間帯、及び電力量を構成要素して含んでいる。使用年月日及び使用時間帯はそれぞれ電力を使用した年月日及び時間帯を表している。電力量は使用した電力の量を表している。図４では一例として２０１５年６月１日の１０時３０分から１１時００分までの電力量２２００ｋＷが示されている。使用電力テーブルＴ３は使用年月日毎及び使用時間帯毎に電力量を管理する。したがって、同じ使用年月日でも互いに異なる複数の使用時間帯とそれぞれの電力量が管理される。同様に、同じ使用時間帯でも互いに異なる複数の使用年月日とそれぞれの電力量が管理される。
【００２７】
図３に戻り、契約基準情報記憶部２０２は契約基準情報を記憶する。契約基準情報は需要者が電力会社と契約を締結する際の契約基準又は契約仕様（以下、単に契約基準という）を表す情報である。契約基準としては例えば契約電力の上限値などがある。したがって、契約基準情報と料金プラン情報とが照合されて、料金プラン情報が契約基準情報を満足しなければ、その料金プラン情報は電力料金を算出する際に除外される。契約基準情報は電力料金が算出される前に端末装置１００から送信されて、受付部２０３が契約基準情報記憶部２０２に格納する。
【００２８】
受付部２０３は端末装置１００から送信された各種の情報を受け付ける。図３に示すように、端末装置１００から例えば契約基準情報、料金プラン情報、及び拠点情報が送信されると、受付部２０３は契約基準情報、料金プラン情報、及び拠点情報を受け付ける。ここで、拠点情報は拠点の種別を表す情報である。したがって、拠点情報には工場、研究所、事業所などの種別を表す情報が含まれる。拠点情報により電力料金の割引率が決定される。例えば工場の割引率は事業所の割引率よりも高く設定されている。受付部２０３は拠点情報を受け付けると、受け付けた拠点情報を契約基準情報記憶部２０２に格納する。尚、料金プラン情報は表示部１２０に表示された画面上で選択されると、端末装置１００が選択された料金プラン情報に含まれる第１の料金プラン情報と第２の料金プラン情報を組み合わせてサーバ装置２００に向けて送信する。
【００２９】
算出部２０４は第１の料金プラン情報と第２の料金プラン情報の組み合わせと電力需要情報とに基づいて、複数の電力料金を算出する。より詳しくは、算出部２０４は電力需要情報を最小使用電力に基づいて基準となる電力需要分を表すベース電力需要情報と負荷（具体的には使用電力量）に応じて追随又は変動する電力需要分を表す負荷追随電力需要情報とに分割する。算出部２０４は電力需要情報を分割すると、第１の料金プラン情報とベース電力需要情報とに基づく第１の電力料金、及び第２の料金プラン情報と負荷追随電力需要情報とに基づく第２の電力料金を合計した合計電力料金を以下の３つの場合のそれぞれについて逐次的に算出する。第１の場合は第１の料金プラン情報を特定の契約電力で契約した場合である。第２の場合はその特定の契約電力から所定量を増加させた電力で契約した場合である。第３の場合はその特定の契約電力から所定量を減少させた電力で契約した場合である。算出部２０４はこれら３つの場合の電力料金を逐次的に算出し、算出した複数の電力料金を表示制御部２０５に出力する。
【００３０】
表示制御部２０５は算出部２０４から出力された複数の電力料金の中から最安値の電力料金を表示部１２０に表示する。より詳しくは、表示制御部２０５は複数の電力料金の中から最安値の電力料金を端末装置１００に向けて送信する。したがって、端末装置１００の制御部は最安値の電力料金を受信し、表示部１２０が最安値の電力料金を表示する。
【００３１】
続いて、図５及び図６を参照して、上述した料金プラン情報の詳細について説明する。
【００３２】
図５は料金プラン情報のファイルフォーマットの一例である。図６は季節・時間帯別料金単価マトリクス表Ｔ４の一例である。図５に示すように、料金プラン情報は４つの階層（レイヤー）を含んでいる。第１層は契約判断に関する階層である。第１層には契約基準情報に基づいて当該料金プラン情報を適用するか、不適用とするかを表す情報が格納される。第２層は基本単価や従量料金単価などに関する階層である。第２層には例えば契約電力の基本単価：１５３６．３９（￥／ｋＷ）が格納される。基本単価に契約電力と力率係数を掛け合わせれば、基本電力料金が算出される。尚、力率係数は、数式「力率係数＝（１８５−力率）÷１００」により算出することができる。尚、第２層に電気事業者別排出係数が格納されていてもよい。電気事業者別排出係数としては例えば実排出係数（ｔ−ＣＯ２／ｋＷｈ）や調整後排出係数（ｔ−ＣＯ２／ｋＷｈ）などがある。
【００３３】
第３層は料金計算式や割引計算式などに関する階層である。第３層には最終的な電力料金の計算式が格納される。図５では第３層に一例として電力料金＝基本電力料金＋電力量料金の数式が格納されているが、実際には当該数式に燃料調整額の加減算、及び再生可能エネルギー発電促進賦課金の加算したものも含まれる。基本電力料金の計算式は、基本電力料金＝基本単価×契約電力×力率係数＋基本単価×契約超過電力×力率係数×１．５で表すことができる。電力量料金の計算式は、電力量料金＝季節・時間帯別料金単価×単位時間当たりの使用電力量の総和で表すことができる。燃料調整額及び再生可能エネルギー発電促進賦課金はいずれもそれぞれの単価に電力使用量を掛け合わせた金額である。尚、第３層に温室効果ガス排出量の計算式が格納されていてもよい。温室効果ガス排出量の計算式は、例えば温室効果ガス排出量＝活動量（例えば電力使用量）×電気事業者別排出係数で表すことができる。第４層は季節・時間帯別料金単価に関する階層である。第４層には季節・時間帯別料金単価マトリクス表Ｔ４が格納される。具体的には、第４層には３年分の季節・時間帯別料金単価マトリクス表Ｔ４が格納される。
【００３４】
具体的には、図６に示すように、季節・時間帯別料金単価マトリクス表Ｔ４の行は１日２４時間を表し、季節・時間帯別料金単価マトリクス表Ｔ４の列は１年３６５日又は３６６日を表している。ここで、行は所定分単位で分割されている。例えば行が５分単位で分割されると、行は２８８分割される。一方、列は１日単位で分割されている。季節・時間帯別料金単価マトリクス表Ｔ４を構成する各構成要素には電力使用量の料金単価と関連付けられた第１情報から第６情報までのいずれかが格納される。例えば１月１日から５月１日までの０時から１０時までの構成要素には料金単価１１．８１円／ｋＷｈと関連付けられた第３情報が格納される。
【００３５】
このように季節・時間帯別料金単価マトリクス表Ｔ４の各構成要素に第１情報から第６情報までのいずれかが格納されることで、季節・時間帯別料金単価マトリクス表Ｔ４は６つのグループＧ１〜Ｇ６に区別される。グループＧ１〜Ｇ３は通常期間を表し、グループＧ４〜Ｇ６は軽減期間を表している。軽減期間は６月１日から９月３０日までの期間であり、同じ時間帯で通常期間より単価が値上げされる期間である。また、グループＧ１，Ｇ４は電力使用量の多い（重負荷な）時間帯を表している。グループＧ２，Ｇ５は昼間の時間帯を表している。グループＧ３，Ｇ６は夜間の時間帯を表している。電力量料金が算出される場合、使用年月日と使用時間帯に基づいて第１情報から第６情報のいずれかが特定され、特定されたいずれかと関連付けられた料金単価が利用される。尚、第１層から第４層までの順序は適宜変更してもよく、例えば第３層と第４層の順序を入れ替えてもよい。
【００３６】
続いて、図７及び図８を参照して、サーバ装置２００の動作について説明する。
【００３７】
図７はサーバ装置２００が実行する処理の一例を示すフローチャートである。図８は表示部１２０が表示する画面の一例である。図７に示すように、契約基準情報が端末装置１００（より詳しくは制御部）から送信されると、受付部２０３は契約基準情報を受け付ける（ステップＳ１０１）。受付部２０３は受け付けた契約基準情報を契約基準情報記憶部２０２に格納する。
【００３８】
次いで、拠点情報が端末装置１００から送信されると、受付部２０３は拠点情報を受け付ける（ステップＳ１０２）。受付部２０３は受け付けた拠点情報を契約基準情報記憶部２０２に格納する。次いで、選択された料金プラン情報が端末装置１００から送信されると、受付部２０３は料金プラン情報を受け付ける（ステップＳ１０３）。尚、料金プラン情報は表示部１２０に表示され、入力部１１０からの指示に基づいて選択される。ステップＳ１０３の処理が完了すると、次いで、受付部２０３は契約基準情報と料金プラン情報を照合する（ステップＳ１０４）。より詳しくは、受付部２０３は契約基準情報記憶部２０２から契約基準情報を抽出し、抽出した契約基準情報と料金プラン情報を照合する。
【００３９】
ここで、受付部２０３は料金プラン情報が契約基準情報を満足するか否かを判断する（ステップＳ１０５）。料金プラン情報が契約基準情報を満足しない場合（ステップＳ１０５：ＮＯ）、受付部２０３はその料金プラン情報を除外する（ステップＳ１０６）。受付部２０３は料金プラン情報を除外した残りの料金プラン情報を算出部２０４に出力する。一方、料金プラン情報が契約基準情報を満足する場合（ステップＳ１０５：ＹＥＳ）、ステップＳ１０６の処理をスキップする。したがって、受付部２０３は選択された料金プラン情報の全てを算出部２０４に出力する。
【００４０】
受付部２０３から料金プラン情報が出力されると、算出部２０４は最安値算出処理を実行する（ステップＳ１０７）。最安値算出処理は電力料金の最安値を算出する処理である。算出部２０４は最安値算出処理を実行することにより電力料金の最安値を算出する。尚、最安値算出処理の詳細については後述する。ステップＳ１０７の処理が完了すると、次いで、算出部２０４は拠点情報に基づいて最安値の電力料金を割り引く（ステップＳ１０８）。ステップＳ１０８の処理が完了すると、次いで、表示制御部２０５は割引後の最安値の電力料金を表示部１２０に表示する（ステップＳ１０９）。より詳しくは、表示制御部２０５は算出部２０４から割引後の最安値の電力料金を取得し、端末装置１００に向けて送信する。端末装置１００の制御部は割引後の最安値の電力料金を受信し、表示部１２０は割引後の最安値の電力料金を表示する。
【００４１】
この結果、表示部１２０は、図８に示すように、割引後の最安値の電力料金を現行の料金プランで支払った電力料金と対比して差額とともに表示する。併せて、表示部１２０は、最安値の電力料金を実現する料金プランの組み合わせを現行の料金プランとともに表示する。図８では、料金プラン「特別高圧Ａ」と料金プラン「負荷率Ｂ」の組み合わせが表示されている。これにより、需要者の担当者、例えば各拠点の意思決定者である電気主任技術者は契約電力を決定し、料金プランを選択することができる。尚、表示部１２０は温室効果ガス排出量も併せて表示してもよい。
【００４２】
続いて、図９から図１３までを参照して、上述した最安値算出処理について説明する。
【００４３】
図９は最安値算出処理の一例を示すフローチャートである。図１０は電力需要情報１０の分割例を説明するための図である。図１１は最安値の電力料金を算出するアルゴリズムの一例である。図１２は出現パターンの一例を説明するための図である。図１３は最安値算出処理の他の一例を示すフローチャートである。
【００４４】
まず、図９に示すように、算出部２０４は電力需要情報１０を抽出する（ステップＳ２０１）。より詳しくは、算出部２０４は受付部２０３から出力された料金プラン情報を受け付けると、電力需要情報記憶部２０１にアクセスし、電力需要情報１０を抽出する。ステップＳ２０１の処理が完了すると、次いで、算出部２０４は最小使用電力を検出する（ステップＳ２０２）。具体的には、図１０の上段に示すように、算出部２０４は電力需要情報１０から変動する使用電力の最小値を最小使用電力として検出する。ステップＳ２０２の処理が完了すると、次いで、算出部２０４は電力需要情報１０を分割する（ステップＳ２０３）。より詳しくは、図１０の下段に示すように、算出部２０４は電力需要情報１０を最小使用電力に基づいてベース電力需要情報１１と負荷追随電力需要情報１２とに分割する。
【００４５】
ステップＳ２０３の処理が完了すると、次いで、算出部２０４は最小使用電力を中央値Ｃに設定する（ステップＳ２０４）。中央値Ｃは電力料金を算出する際の第１の料金プラン情報の中心契約電力値を表している。より詳しくは、図１０及び図１１（ａ）に示すように、ベース電力需要情報１１と負荷追随電力需要情報１２との境界が最小使用電力を表すため、算出部２０４は当該境界に中央値Ｃを設定する。
【００４６】
ステップＳ２０４の処理が完了すると、次いで、算出部２０４は中央値Ｃに所定量を増加させた値を上側値Ｕに設定する（ステップＳ２０５）。上側値Ｕは電力料金を算出する際の第１の料金プラン情報の上側契約電力値を表している。より詳しくは、図１１（ａ）に示すように、算出部２０４は中央値Ｃからα／２を増加させた値を上側値Ｕに設定する。
【００４７】
ステップＳ２０５の処理が完了すると、次いで、算出部２０４は中央値Ｃに所定量を減少させた値を下側値Ｄに設定する（ステップＳ２０６）。下側値Ｕは電力料金を算出する際の第１の料金プラン情報の下側契約電力値を表している。より詳しくは、図１１（ａ）に示すように、算出部２０４は中央値Ｃから同じα／２を減少させた値を下側値Ｄに設定する。したがって、上側値Ｕと下側値Ｄの差分はα（ｋＷ）となり、その中心に中央値Ｃが位置する。
【００４８】
ステップＳ２０６の処理が完了すると、次いで、算出部２０４は第１の料金プラン情報を中央値Ｃとした場合の合計電力料金ＣＧを算出する（ステップＳ２０７）。すなわち、仮に第１の料金プラン情報が中央値Ｃの契約電力で契約された場合、算出部２０４はその契約電力とベース電力需要情報１１とに基づいて第１の電力料金を算出する。第１の電力料金は中央値Ｃの契約電力で契約した場合の基本電力料金に相当する。一方で電力需要情報１０とベース電力需要情報１１との差分である負荷追随電力需要情報１２については、算出部２０４は第２の料金プラン情報と負荷追随電力需要情報１２とに基づいて第２の電力料金を算出する。第２の電力料金は電力量料金に相当する。算出部２０４は第１の電力料金及び第２の電力料金を算出すると、第１の電力料金と第２の電力料金を合計し、合計電力料金ＣＧを算出する。
【００４９】
ステップＳ２０７の処理が完了すると、次いで、算出部２０４は第１の料金プラン情報を上側値Ｕとした場合の合計電力料金ＵＧを算出する（ステップＳ２０８）。すなわち、仮に第１の料金プラン情報が上側値Ｕの契約電力で契約された場合、算出部２０４はその契約電力とベース電力需要情報１１とに基づいて第１の電力料金を算出する。第１の電力料金は上側値Ｕの契約電力で契約した場合の基本電力料金に相当する。一方でベース電力需要情報１１は上側値Ｕまで増加するため、負荷追随電力需要情報１２はその分減少する。具体的には、中央値Ｃからα／２（ｋＷ）分だけベース電力需要情報１１は増加するため、負荷追随電力需要情報１２はα／２（ｋＷ）分だけ減少する。したがって、算出部２０４は第２の料金プラン情報と減少した負荷追随電力需要情報１２とに基づいて第２の電力料金を算出する。第２の電力料金は同様に電力量料金に相当する。算出部２０４は第１の電力料金及び第２の電力料金を算出すると、第１の電力料金と第２の電力料金を合計し、合計電力料金ＵＧを算出する。
【００５０】
ステップＳ２０８の処理が完了すると、次いで、算出部２０４は第１の料金プラン情報を下側値Ｄとした場合の合計電力料金ＤＧを算出する（ステップＳ２０９）。すなわち、仮に第１の料金プラン情報が下側値Ｄの契約電力で契約された場合、算出部２０４はその契約電力とベース電力需要情報１１とに基づいて第１の電力料金を算出する。第１の電力料金は下側値Ｄの契約電力で契約した場合の基本電力料金に相当する。一方でベース電力需要情報１１は下側値Ｄまで減少するため、負荷追随電力需要情報１２はその分増加する。具体的には、中央値Ｃからα／２（ｋＷ）分だけベース電力需要情報１１は減少するため、負荷追随電力需要情報１２はα／２（ｋＷ）分だけ増加する。したがって、算出部２０４は第２の料金プラン情報と増加した負荷追随電力需要情報１２とに基づいて第２の電力料金を算出する。第２の電力料金は同様に電力量料金に相当する。算出部２０４は第１の電力料金及び第２の電力料金を算出すると、第１の電力料金と第２の電力料金を合計し、合計電力料金ＤＧを算出する。
【００５１】
ステップＳ２０９の処理が完了すると、次いで、算出部２０４は合計電力料金ＣＧが合計電力料金ＵＧ以上か否かを判断する（ステップＳ２１０）。合計電力料金ＣＧが合計電力料金ＵＧ以上である場合（ステップＳ２１０：ＹＥＳ）、さらに、算出部２０４は合計電力料金ＣＧが合計電力料金ＤＧ未満か否かを判断する（ステップＳ２１１）。ステップＳ２１０，Ｓ２１１の比較処理により、合計電力料金ＣＧ、合計電力料金ＵＧ、及び合計電力料金ＤＧの大小関係が決定される。
【００５２】
ここで、合計電力料金ＣＧが合計電力料金ＤＧ未満である場合（ステップＳ２１１：ＹＥＳ）、算出部２０４は第１の出現パターンと判断する（ステップＳ２１２）。すなわち、合計電力料金ＤＧ＞合計電力料金ＣＧ≧合計電力料金ＵＧを満たす場合、算出部２０４はこの大小関係を第１の出現パターンと判断する。
【００５３】
図１２を参照して具体的に説明すると、第１の料金プラン情報を中央値Ｃ（ｋＷ）の契約電力で契約した場合の合計電力料金ＣＧを基準値Ｂとした場合、第１の料金プラン情報を上側値Ｕ（ｋＷ）の契約電力で契約した場合の合計電力料金ＵＧは基準値Ｂより安くなる。同様に、第１の料金プラン情報を中央値Ｃ（ｋＷ）の契約電力で契約した場合の合計電力料金ＣＧを基準値Ｂとした場合、第１の料金プラン情報を下側値Ｄ（ｋＷ）の契約電力で契約した場合の合計電力料金ＤＧは基準値Ｂより高くなる。
【００５４】
したがって、図１２に示すように、第１の出現パターンは上側値Ｕ、中央値Ｃ、下側値Ｄの順に安値Ｌ、基準値Ｂ、高値Ｈとなる。すなわち、図１１（ａ）に示すように、第１回電力料金判定では第１の料金プラン情報を上側値Ｕの契約電力で契約すれば、中央値Ｃや下側値Ｄの契約電力で契約するより電力料金を安く抑えられる。
【００５５】
一方、ステップＳ２１１の処理において、合計電力料金ＣＧが合計電力料金ＤＧ以上である場合（ステップＳ２１１：ＮＯ）、算出部２０４は第２の出現パターンと判断する（ステップＳ２１３）。すなわち、合計電力料金ＤＧ≦合計電力料金ＣＧ≧合計電力料金ＵＧを満たす場合、算出部２０４はこの大小関係を第２の出現パターンと判断する。これにより、図１２に示すように、第２の出現パターンは上側値Ｕ、中央値Ｃ、下側値Ｄの順に安値Ｌ、基準値Ｂ、安値Ｌとなる。
【００５６】
さらに、ステップＳ２１０の処理において、合計電力料金ＣＧが合計電力料金ＵＧ未満である場合（ステップＳ２１０：ＮＯ）、図１３に移り、さらに、算出部２０４は合計電力料金ＣＧが合計電力料金ＤＧ未満か否かを判断する（ステップＳ２１４）。合計電力料金ＣＧが合計電力料金ＤＧ以上である場合（ステップＳ２１４：ＮＯ）、算出部２０４は第３の出現パターンと判断する（ステップＳ２１５）。すなわち、合計電力料金ＤＧ≦合計電力料金ＣＧ＜合計電力料金ＵＧを満たす場合、算出部２０４はこの大小関係を第３の出現パターンと判断する。この場合、図１２に示すように、第３の出現パターンは上側値Ｕ、中央値Ｃ、下側値Ｄの順に高値Ｈ、基準値Ｂ、安値Ｌとなる。
【００５７】
一方、ステップＳ２１４の処理において、合計電力料金ＣＧが合計電力料金ＤＧ未満である場合（ステップＳ２１４：ＹＥＳ）、算出部２０４は第４の出現パターンと判断する（ステップＳ２１６）。すなわち、合計電力料金ＤＧ＞合計電力料金ＣＧ＜合計電力料金ＵＧを満たす場合、算出部２０４はこの大小関係を第４の出現パターンと判断する。この場合、図１２に示すように、第４の出現パターンは上側値Ｕ、中央値Ｃ、下側値Ｄの順に高値Ｈ、基準値Ｂ、高値Ｈとなる。
【００５８】
尚、算出する合計電力料金ＣＧ，ＵＧ，ＤＧによっては金額が同じとなる場合がある。したがって、図１２に示すように、基準値Ｂと同じ金額であることを表す同値Ｓを定義することにより、出現パターンは上述した第１の出現パターンから第４の出現パターンに加え、第５の出現パターンから第９の出現パターンまでが現れることもある。
【００５９】
図９に示すステップＳ２１２，Ｓ２１３及び図１３に示すステップＳ２１５，Ｓ２１６の処理が完了すると、次いで、算出部２０４は上側値Ｕ、中央値Ｃ、及び下側値Ｄを算出する（ステップＳ２１７）。より詳しくは、算出部２０４は上述した第１の出現パターンから第４の出現パターンに応じた以下の算出処理に従って上側値Ｕ、中央値Ｃ、及び下側値Ｄを算出又は設定する。
【００６０】
（１）第１の出現パターンに応じた算出処理
中央値Ｃの上側の値（初期は最大使用電力値と上側値Ｕを２分割した値）を新たに中央値Ｃに設定し、次の電力料金判定を実行する。
（２）第２の出現パターンに応じた算出処理
算出された合計電力料金ＵＧ，ＤＧを比較し、いずれか安い方を算出する値（上側値Ｕ又は下側値Ｄ）と中央値Ｃを２分割した値を新たに中央値Ｃに設定し、次の電力料金判定を実行する。
（３）第３の出現パターンに応じた算出処理
中央値Ｃの下側の値（初期は最小使用電力値（０ｋＷ）と下側値Ｄを２分割した値）を新たに中央値Ｃに設定し、次の電力料金判定を実行する。
（４）第４の出現パターンに応じた算出処理
中央値Ｃに（（上側値Ｕ−安値Ｌ）／任意の２未満の数）を加算した値を上側値Ｕとし、中央値Ｃに（（上側値Ｕ−安値Ｌ）／任意の２未満の数）を減算した値を下側値Ｄとし、中央値Ｃは値を維持したまま次の電力料金判定を実行する。
【００６１】
ここで、第１実施形態では図１１（ａ）及び（ｂ）に示すように、第１回電力料金判定では上側値Ｕ、中央値Ｃ、下側値Ｄの順に安値Ｌ、基準値Ｂ、高値Ｈになり、第１の出現パターンと判断される。したがって、第２回電力料金判定では、最大使用電力値と上側値Ｕを２分割した値が新たに中央値Ｃに設定される。そして、中央値Ｃにβ／２を加算した値が上側値Ｕに、中央値Ｃにβ／２を減算した値が下側値Ｄに設定される。
【００６２】
ステップＳ２１７の処理が完了すると、次いで、算出部２０４は上側値Ｕ−中央値Ｃが１（ｋＷ）以下であるか否かを判断する（ステップＳ２１８）。上側値Ｕ−中央値Ｃが１（ｋＷ）以下でない場合（ステップＳ２１８：ＮＯ）、ステップＳ２０７からＳ２１７までの処理を繰り返す。これにより、第２回電力料金判定が実行される。すなわち、上側値Ｕ−中央値Ｃが１（ｋＷ）以下になるまで、図１１（ａ）に示すように、第１の出現パターンに応じた算出処理が第３回電力料金判定及び第４回電力料金判定でも実行される。
【００６３】
一方、ステップＳ２１８の処理において、上側値Ｕ−中央値Ｃが１（ｋＷ）以下である場合（ステップＳ２１８：ＹＥＳ）、算出部２０４は契約電力を算出する（ステップＳ２１９）。この際、算出部２０４は併せて温室効果ガス排出量を算出してもよい。第１実施形態では、図１１（ａ）に示すように、第４回電力料金判定が完了すると、上側値Ｕ−中央値Ｃが１（ｋＷ）以下であると判断されている。図１１（ａ）に示す電力料金と第１の料金プラン情報の契約電力との関係を表すグラフによれば、算出された複数の電力料金の中で契約電力を最大使用電力とした場合に、電力料金が最安値になることを表している。したがって、算出部２０４は電力料金の最安値を算出する最大使用電力を第１の料金プラン情報の契約電力と決定する。算出部２０４は契約電力を決定すると、決定した契約電力と電気事業者別排出係数とを利用して、温室効果ガス排出量を算出する。
【００６４】
尚、上述した第５の出現パターンから第９の出現パターンまでが現れた場合、以下の算出処理に従って上側値Ｕ、中央値Ｃ、及び下側値Ｄを算出又は設定する。
【００６５】
（５）第５の出現パターンに応じた算出処理
上述した第１の出現パターンと同様の処理を実行する。
（６）第６の出現パターンに応じた算出処理
上述した第３の出現パターンと同様の処理を実行する。
（７）第７の出現パターンに応じた算出処理
上述した第４の出現パターンと同様の処理を実行する。
（８）第８の出現パターンに応じた算出処理
上述した第４の出現パターンと同様の処理を実行する。
（９）第９の出現パターンに応じた算出処理
上述した第４の出現パターンと同様の処理を実行する。
【００６６】
図１４は出現パターンと電力料金の関係を表す一例である。図１５は出現パターンと電力料金の関係を表す他の一例である。まず、図１４（ａ）に示すように、第１回、第２回及び第４回の電力料金判定では第１の出現パターンが現れたものの、第３回の電力料金判定では第４の出現パターンが現れることもある。この場合、図１４（ｂ）に示すように、最大使用電力ではない電力で電力料金の最安値が算出されることになる。同様に、図１５（ａ）に示すように、第２回、第３回及び第４回の電力料金判定では第１の出現パターンが現れたものの、第１回の電力料金判定では第３の出現パターンが現れることもある。この場合も、図１５（ｂ）に示すように、最大使用電力ではない電力で電力料金の最安値が算出されることになる。したがって、算出部２０４は電力料金の最安値を算出する第１の料金プラン情報の契約電力を決定した後、電力需要情報１０の使用電力と決定した契約電力との差分を第２の料金プラン情報の契約電力として決定する。そして、算出部２０４は第１の料金プラン情報及び第２の料金プラン情報の各契約電力と電気事業者別排出係数を利用して、最小の温室効果ガス排出量を算出する。例えば算出部２０４は第１の料金プラン情報の契約電力における電力需要情報と第１の料金プラン情報を提供する電気事業者に付与された排出係数とを掛け合わせて第１の温室効果ガス排出量を算出する。同様に、算出部２０４は第２の料金プラン情報の契約電力における電力需要情報と第２の料金プラン情報を提供する電気事業者に付与された排出係数とを掛け合わせて第２の温室効果ガス排出量を算出する。算出部２０４は第１の温室効果ガス排出量と第２の温室効果ガス排出量とを合算して、最小の温室効果ガス排出量を算出する。
【００６７】
以上、第１実施形態によれば、サーバ装置２００は複数の料金プラン情報の組み合わせと電力需要情報とに基づいて、複数の電力料金を算出する算出部２０４と、算出部２０４が算出した複数の電力料金の中から最安値の電力料金を表示部１２０に表示する表示制御部２０５を備えている。これにより、電力の料金プランを組み合わせた場合における電力料金の最安値を表示することができる。
【００６８】
（第２実施形態）
続いて、図１６を参照して、本件の第２実施形態について説明する。
図１６は第２実施形態に係るサーバ装置２００のブロック図の一例である。尚、図３に示されるサーバ装置２００の各部と同様の構成には同一符号を付し、その説明を省略する。
【００６９】
第２実施形態ではDemand Response（ＤＲ：デマンドレスポンス）が考慮されている。ＤＲは時間帯別に電力料金を設定し、ピーク時に使用を控えた需要者に対し対価を支払うなどの方法で使用抑制を促し、ピーク時の電力使用を抑え電力の安定供給を図る仕組みである。
【００７０】
ここで、図１６に示すように、受付部２０３はDemand Response（ＤＲ：デマンドレスポンス）型料金プラン情報と自社発電型料金プラン情報の組み合わせを受け付けてもよい。当該組み合わせを受け付けた場合も、第１実施形態と同様に、電力料金の最安値を算出することができる。
【００７１】
ここで、自社発電としては、例えばガスエンジン発電機によるガスエンジン発電、太陽光発電機による太陽光発電、地熱発電機による地熱発電などがある。自社発電設備による他拠点への自己託送を自社発電に含めてもよい。また、自社発電に代えて、自社蓄電が利用されてもよい。自社蓄電としては、例えばニッケル水素電池による蓄電、電気二重層キャパシタによる蓄電、鉛蓄電池による蓄電などがある。さらに、安価な夜間電力や太陽光発電機に代表される自社発電による圧縮ポンプ起動により液化空気、液化窒素生成による自社エネルギー貯蔵を行い、必要に応じて蒸気タービン発電を行い、ピーク電力を抑制する方式が利用されてもよい。
【００７２】
また、算出部２０４は受付部２０３からＤＲ型料金プラン情報と自社発電型料金プラン情報の組み合わせが出力された場合、調整された電力需要情報を利用して電力料金の最安値を算出する。具体的には、電力需要情報から需要者が電力使用を抑制可能な分を差し引くことにより、調整された電力需要情報が算出される。したがって、第１実施形態に比べて、算出部２０４はさらに安い電力料金の最安値を算出することができる。第２実施形態によれば、ＤＲ型料金プランと自社発電型料金プランを組み合わせた場合における電力料金の最安値も表示することができる。
【００７３】
以上、本発明の好ましい実施形態について詳述したが、本発明に係る特定の実施形態に限定されるものではなく、特許請求の範囲に記載された本発明の要旨の範囲内において、種々の変形・変更が可能である。
【００７４】
なお、以上の説明に関して更に以下の付記を開示する。
（付記１）電力の料金プランをそれぞれ表す複数の料金プラン情報の組み合わせと電力需要を表す電力需要情報とに基づいて、複数の電力料金を算出し、算出した前記複数の電力料金の中から最安値の電力料金を表示部に表示する、処理をコンピュータが実行する電力料金算出方法。
（付記２）前記電力需要情報を最小使用電力に基づいて第１の電力需要情報と第２の電力需要情報とに分割し、前記複数の料金プラン情報に含まれる第１の料金プラン情報と前記第１の電力需要情報とに基づく第１の電力料金、及び前記複数の料金プラン情報に含まれる第２の料金プラン情報と前記第２の電力需要情報とに基づく第２の電力料金を合計した合計電力料金を、前記第１の料金プラン情報を特定の契約電力で契約した第１の場合、及び前記特定の契約電力から所定量を増加させた電力で契約した第２の場合、及び前記特定の契約電力から前記所定量を減少させた電力で契約した第３の場合のそれぞれについて逐次的に算出することにより、前記複数の電力料金を算出する、ことを特徴とする付記１に記載の電力料金算出方法。
（付記３）前記複数の電力料金を算出する前に、前記料金プラン情報の契約基準を表す契約基準情報を受け付ける処理を含み、受け付けた前記契約基準情報を満足しない前記料金プラン情報を前記複数の料金プラン情報から除いた残りの料金プラン情報の組み合わせと前記電力需要情報とに基づいて、前記複数の電力料金を算出する、ことを特徴とする付記１又は２に記載の電力料金算出方法。
（付記４）前記複数の電力料金を算出する前に、前記電力の使用拠点を表す拠点情報を受け付ける処理を含み、前記拠点情報が電力料金の割引対象に該当する場合、割引後の前記最安値の電力料金を表示する、ことを特徴とする付記１から３のいずれか１項に記載の電力料金算出方法。
（付記５）前記料金プラン情報は電気事業者別排出係数を表す係数情報を含み、前記電力需要情報と前記係数情報とに基づいて、温室効果ガス排出量を算出する処理を含む、ことを特徴とする付記１から４のいずれか１項に記載の電力料金算出方法。
（付記６）前記料金プラン情報は１日を所定分単位で分割し、かつ、１年を１日単位に分割したマトリクス表と前記マトリクス表のそれぞれに格納された料金単価とを含む、ことを特徴とする付記１から５のいずれか１項に記載の電力料金算出方法。
（付記７）電力の料金プランをそれぞれ表す複数の料金プラン情報の組み合わせと電力需要を表す電力需要情報とに基づいて、複数の電力料金を算出し、算出した前記複数の電力料金の中から最安値の電力料金を表示部に表示する、処理をコンピュータに実行させるための電力料金算出プログラム。
（付記８）電力の料金プランをそれぞれ表す複数の料金プラン情報の組み合わせと電力需要を表す電力需要情報とに基づいて、複数の電力料金を算出する算出部と、前記算出部が算出した前記複数の電力料金の中から最安値の電力料金を表示部に表示する表示制御部と、を有する電力料金算出装置。
（付記９）前記算出部は、前記電力需要情報を最小使用電力に基づいて第１の電力需要情報と第２の電力需要情報とに分割し、前記複数の料金プラン情報に含まれる第１の料金プラン情報と前記第１の電力需要情報とに基づく第１の電力料金、及び前記複数の料金プラン情報に含まれる第２の料金プラン情報と前記第２の電力需要情報とに基づく第２の電力料金を合計した合計電力料金を、前記第１の料金プラン情報を特定の契約電力で契約した第１の場合、及び前記特定の契約電力から所定量を増加させた電力で契約した第２の場合、及び前記特定の契約電力から前記所定量を減少させた電力で契約した第３の場合のそれぞれについて逐次的に算出することにより、前記複数の電力料金を算出する、ことを特徴とする付記８に記載の電力料金算出装置。
（付記１０）前記複数の電力料金を算出する前に、前記料金プラン情報の契約基準を表す契約基準情報を受け付ける受付部を含み、前記算出部は、前記受付部が受け付けた前記契約基準情報を満足しない前記料金プラン情報を前記複数の料金プラン情報から除いた残りの料金プラン情報の組み合わせと前記電力需要情報とに基づいて、前記複数の電力料金を算出する、ことを特徴とする付記８又は９に記載の電力料金算出装置。
（付記１１）前記複数の電力料金を算出する前に、前記電力の使用拠点を表す拠点情報を受け付ける受付部を含み、前記表示制御部は、前記受付部が受け付けた拠点情報が電力料金の割引対象に該当する場合、割引後の前記最安値の電力料金を表示する、ことを特徴とする付記８から１０のいずれか１項に記載の電力料金算出装置。
（付記１２）前記料金プラン情報は電気事業者別排出係数を表す係数情報を含み、前記算出部は、前記電力需要情報と前記係数情報とに基づいて、温室効果ガス排出量を算出する、ことを特徴とする付記８から１１のいずれか１項に記載の電力料金算出装置。
（付記１３）前記料金プラン情報は１日を所定分単位で分割し、かつ、１年を１日単位に分割したマトリクス表と前記マトリクス表のそれぞれに格納された料金単価とを含む、ことを特徴とする付記８から１２のいずれか１項に記載の電力料金算出装置。
【符号の説明】
【００７５】
Ｓ  電力料金算出システム
１００  端末装置
２００  サーバ装置
２０１  電力需要情報記憶部
２０２  契約基準情報記憶部
２０３  受付部
２０４  算出部
２０５  表示制御部
【図１】
0006711077.tif 000002
【図２】
0006711077.tif 000003
【図３】
0006711077.tif 000004
【図４】
0006711077.tif 000005
【図５】
0006711077.tif 000006
【図６】
0006711077.tif 000007
【図７】
0006711077.tif 000008
【図８】
0006711077.tif 000009
【図９】
0006711077.tif 000010
【図１０】
0006711077.tif 000011
【図１１】
0006711077.tif 000012
【図１２】
0006711077.tif 000013
【図１３】
0006711077.tif 000014
【図１４】
0006711077.tif 000015
【図１５】
0006711077.tif 000016
【図１６】
0006711077.tif 000017